【手続補正書】
【提出日】平成29年12月5日(2017.12.5)
【手続補正１】
【補正対象書類名】特許請求の範囲
【補正対象項目名】全文
【補正方法】変更
【補正の内容】
【特許請求の範囲】
【請求項１】
無線周波数システムであって
入力信号にレベルシフトを与えるように動作可能なレベルシフタであって、バイアス電圧によってバイアスされかつ電源電圧及びチャージポンプ電圧によって給電されるレベルシフタと、
チャージポンプ電圧を与えるように構成されたチャージポンプであって、第１の状態で前記チャージポンプを有効にし、第２の状態で前記チャージポンプを無効にするように動作可能なモード信号を受信するべく構成されたチャージポンプと、
前記モード信号が前記第１の状態にあるときに前記チャージポンプ電圧に追従するように前記バイアス電圧を制御するべく構成され、前記モード信号が前記第２の状態にあるときに前記電源電圧で前記バイアス電圧を制御するべく構成されたレベルシフタ制御回路と
を含む無線周波数システム。
【請求項２】
前記レベルシフタによって制御される無線周波数スイッチをさらに含む請求項１の無線周波数システム。
【請求項３】
前記レベルシフタ制御回路はさらに、前記モード信号が前記第２の状態にあるときに前記チャージポンプ電圧の電圧レベルをグランド電圧へと制御するべく構成される請求項１の無線周波数システム。
【請求項４】
前記レベルシフタは、前記バイアス電圧によって制御されるゲートを有する少なくとも一つのカスコードトランジスタを含む請求項１の無線周波数システム。
【請求項５】
前記レベルシフタ制御回路は、前記電源電圧と前記チャージポンプ電圧との電位差に基づいてカスコード基準電圧を生成するべく構成された分圧器を含み、
前記レベルシフタ制御回路は、前記モード信号が前記第１の状態にあるときに前記カスコード基準電圧で前記バイアス電圧を制御するべく構成される請求項４の無線周波数システム。
【請求項６】
前記レベルシフタ制御回路は、前記モード信号が前記第１の状態にあるときに前記カスコード基準電圧を前記バイアス電圧に電気的に接続するように並列に動作するｎ型金属酸化物半導体カスコードトランジスタ及びｐ型金属酸化物半導体カスコードトランジスタを含む請求項５の無線周波数システム。
【請求項７】
前記分圧器は電気的に直列に接続された複数のダイオード接続トランジスタを含む請求項５の無線周波数システム。
【請求項８】
無線周波数システムのためのパッケージ化モジュールであって、
パッケージ基板と、
前記パッケージ基板に取り付けられた集積回路と
を含み、
前記集積回路は、入力信号にレベルシフトを与えるように動作可能なレベルシフタであって、前記レベルシフタにバイアスをかけるバイアス電圧を受信しかつ電源電圧及びチャージポンプ電圧から電力を受けるように構成されたレベルシフタを含み、
前記集積回路はさらに、
前記チャージポンプ電圧を与えるように構成されたチャージポンプであって、第１の状態で前記チャージポンプを有効にし、第２の状態で前記チャージポンプを無効にするように動作可能なモード信号を受信するべく構成されたチャージポンプと、
前記モード信号が前記第１の状態にあるときに前記チャージポンプ電圧に追従するように前記バイアス電圧を制御するべく構成され、前記モード信号が前記第２の状態にあるときに前記電源電圧で前記バイアス電圧を制御するべく構成されたレベルシフタ制御回路と
を含むパッケージ化モジュール。
【請求項９】
前記集積回路は、前記レベルシフタによって制御される無線周波数スイッチをさらに含む請求項８のパッケージ化モジュール。
【請求項１０】
前記レベルシフタ制御回路はさらに、前記モード信号が前記第２の状態にあるときに前記チャージポンプ電圧の電圧レベルをグランド電圧へと制御するべく構成される請求項８のパッケージ化モジュール。
【請求項１１】
前記レベルシフタは、前記バイアス電圧によって制御されるゲートを有する少なくとも一つのカスコードトランジスタを含む請求項８のパッケージ化モジュール。
【請求項１２】
前記レベルシフタ制御回路は、前記電源電圧と前記チャージポンプ電圧との電位差に基づいてカスコード基準電圧を生成するべく構成された分圧器を含み、
前記レベルシフタ制御回路は、前記モード信号が前記第１の状態にあるときに前記カスコード基準電圧で前記バイアス電圧を制御するべく構成される請求項１１のパッケージ化モジュール。
【請求項１３】
前記レベルシフタ制御回路は、前記モード信号が前記第１の状態にあるときに前記カスコード基準電圧を前記バイアス電圧に電気的に接続するように並列に動作するｎ型金属酸化物半導体カスコードトランジスタ及びｐ型金属酸化物半導体カスコードトランジスタを含む請求項１２のパッケージ化モジュール。
【請求項１４】
前記分圧器は電気的に直列に接続された複数のダイオード接続トランジスタを含む請求項１２のパッケージ化モジュール。
【請求項１５】
無線周波数のレベルシフトを行う方法であって、
チャージポンプを使用してチャージポンプ電圧を生成することであって、モード信号が第１の状態にあるときに前記チャージポンプを有効にし、前記モード信号が第２の状態にあるときに前記チャージポンプを無効にすることを含むことと、
電源電圧及び前記チャージポンプ電圧を使用してレベルシフタに給電することと、
バイアス電圧で前記レベルシフタにバイアスをかけることと、
レベルシフタ制御回路を使用して前記バイアス電圧を生成することであって、前記モード信号が前記第１の状態にあるときに前記チャージポンプ電圧に追従するように前記バイアス電圧を制御し、前記モード信号が前記第２の状態にあるときに前記電源電圧で前記バイアス電圧を制御することを含むことと、
前記レベルシフタを使用して入力信号をレベルシフトすることと
を含む方法。
【請求項１６】
前記レベルシフタを使用して無線周波数スイッチを制御することをさらに含む請求項１５の方法。
【請求項１７】
前記モード信号が前記第２の状態にあるときに前記レベルシフタ制御回路を使用して前記チャージポンプ電圧の電圧レベルをグランド電圧にまで制御することをさらに含む請求項１５の方法。
【請求項１８】
前記バイアス電圧を使用して前記レベルシフタの少なくとも一つのカスコードトランジスタのゲートを制御することをさらに含む請求項１５の方法。
【請求項１９】
前記バイアス電圧を生成することは、
前記電源電圧と前記チャージポンプ電圧との電位差に基づいてカスコード基準電圧を生成することと、
前記モード信号が前記第１の状態にあるときに前記カスコード基準電圧で前記バイアス電圧を制御することと
を含む請求項１８の方法。
【請求項２０】
前記モード信号が前記第１の状態にあるときにｎ型金属酸化物半導体カスコードトランジスタ及びｐ型金属酸化物半導体カスコードトランジスタの並列結合を使用して前記カスコード基準電圧を前記バイアス電圧に接続することをさらに含む請求項１９の方法。
【請求項２１】
無線周波数システムであって
チャージポンプ電圧を生成するべく構成されチャージポンプであって、第１の状態で前記チャージポンプを有効にし、第２の状態で前記チャージポンプを無効にするように動作可能なモード信号を受信するようにさらに構成されたチャージポンプと、
第１の無線周波数スイッチと、
第１のスイッチイネーブル信号に基づいて前記第１の無線周波数スイッチを制御するべく構成された第１のレベルシフタであって、前記チャージポンプ電圧から部分的に電力を受け取るべく構成された前記第１のレベルシフタと、
前記チャージポンプ電圧及び前記モード信号を受信し、バイアス電圧で前記第１のレベルシフタにバイアスをかけるように構成されたレベルシフタ制御回路と
を含み、
前記レベルシフタ制御回路はさらに、前記モード信号の状態に基づいて前記バイアス電圧の電圧レベルを制御し、前記モード信号が前記第１の状態にあるときに前記チャージポンプ電圧の電圧レベルに追従するように前記バイアス電圧の電圧レベルを制御するべく構成される無線周波数システム。
【請求項２２】
前記レベルシフタ制御回路は、前記モード信号が前記第２の状態にあるときに前記バイアス電圧の電圧レベルを直流電圧に制御するべく構成される請求項２１の無線周波数システム。
【請求項２３】
前記第１のレベルシフタは、前記バイアス電圧によってバイアスされたゲートを含む複数のｎ型金属酸化物半導体カスコードトランジスタを含む請求項２１の無線周波数システム。
【請求項２４】
前記第１のレベルシフタは低電源電圧によってバイアスされたゲートを含む複数のｐ型金属酸化物半導体カスコードトランジスタをさらに含み、
前記複数のｐ型金属酸化物半導体カスコードトランジスタの第１のｐ型金属酸化物半導体カスコードトランジスタ及び前記複数のｎ型金属酸化物半導体カスコードトランジスタの第１のｎ型金属酸化物半導体カスコードトランジスタは高電源電圧及び前記チャージポンプ電圧の間に電気的に直列に接続される請求項２３の無線周波数システム。
【請求項２５】
前記レベルシフタ制御回路は前記チャージポンプ電圧に対して変化するカスコード基準電圧を生成するべく構成されたカスコード基準回路を含み、
前記レベルシフタ制御回路は前記モード信号が前記第１の状態にあるときに前記バイアス電圧の電圧レベルを前記カスコード基準電圧へと制御するべく構成される請求項２１の無線周波数システム。
【請求項２６】
前記レベルシフタ制御回路は、前記モード信号が前記第１の状態にあるときに前記カスコード基準電圧を前記バイアス電圧に電気的に接続するように並列に動作するｎ型金属酸化物半導体トランジスタ及びｐ型金属酸化物半導体トランジスタを含む請求項２５の無線周波数システム。
【請求項２７】
前記カスコード基準回路は高電源電圧及び前記チャージポンプ電圧の間に電気的に接続された分圧器を含み、
前記分圧器は前記カスコード基準電圧を生成するべく構成される請求項２５の無線周波数システム。
【請求項２８】
前記分圧器は電気的に直列に接続された複数のダイオード接続トランジスタを含む請求項２７の無線周波数システム。
【請求項２９】
前記レベルシフタ制御回路は、前記モード信号が前記第２の状態にあるときに前記チャージポンプ電圧の電圧レベルを低電源電圧に制御するべく構成されたスタンバイ制御回路を含む請求項２１の無線周波数システム。
【請求項３０】
前記スタンバイ制御回路は、前記モード信号が前記第２の状態にあるときに前記第１のスイッチイネーブル信号の電圧レベルを前記低電源電圧に制御するべく構成される請求項２９の無線周波数システム。
【請求項３１】
第２の無線周波数スイッチと、
第２のスイッチイネーブル信号に基づいて前記第２の無線周波数スイッチを制御するべく構成された第２のレベルシフタと
をさらに含み、
前記レベルシフタ制御回路は前記バイアス電圧で前記第２のレベルシフタにバイアスをかけるようにさらに構成される請求項２１の無線周波数システム。
【請求項３２】
無線周波数スイッチ制御の方法であって、
チャージポンプを使用してチャージポンプ電圧を生成することと、
モード信号が第１の状態にあるときに前記チャージポンプを有効にし、前記モード信号が第２の状態にあるときに前記チャージポンプを無効にすることと、
前記チャージポンプ電圧を使用して第１のレベルシフタに部分的に給電することと、
第１のレベルシフタを使用して第１のスイッチイネーブル信号のレベルシフトに基づいて第１の無線周波数スイッチを制御することと、
レベルシフタ制御回路からのバイアス電圧で前記第１のレベルシフタにバイアスをかけることと、
前記チャージポンプ電圧及び前記モード信号を前記レベルシフタ制御回路に与えることと、
前記レベルシフタ制御回路を使用して前記モード信号の状態に基づいて前記バイアス電圧の電圧レベルを制御することであって、前記モード信号が前記第１の状態にあるときに前記チャージポンプ電圧の電圧レベルに追従するために前記バイアス電圧の電圧レベルを制御することを含むことと
を含む方法。
【請求項３３】
前記モード信号の状態に基づいて前記バイアス電圧の電圧レベルを制御することは、前記モード信号が前記第２の状態にあるときに前記バイアス電圧の電圧レベルを直流電圧に制御することをさらに含む請求項３２の方法。
【請求項３４】
前記バイアス電圧を使用して前記第１のレベルシフタにバイアスをかけることは、前記バイアス電圧を使用して前記第１のレベルシフタの複数のトランジスタゲートにバイアスをかけることを含む請求項３２の方法。
【請求項３５】
前記モード信号が前記第２の状態にあるときに前記チャージポンプ電圧の電圧レベルを低電源電圧に制御することをさらに含む請求項３２の方法。
【請求項３６】
前記チャージポンプ電圧を部分的に使用して第２のレベルシフタに給電し、前記第２のレベルシフタを使用して第２のスイッチイネーブル信号のレベルシフトに基づいて第２の無線周波数スイッチを制御し、前記バイアス電圧で前記第２のレベルシフタにバイアスをかけることをさらに含む請求項３２の方法。
【請求項３７】
電力増幅器システムであって、
チャージポンプ電圧を生成するべく構成されたチャージポンプであって、第１の状態で前記チャージポンプを有効にし、第２の状態で前記チャージポンプを無効にするように動作可能なモード信号を受信するようにさらに構成されたチャージポンプと、
増幅された無線周波数信号を生成するべく構成された電力増幅器と、
アンテナと、
前記電力増幅器の出力及びと前記アンテナの間に電気的に接続された無線周波数スイッチと、
スイッチイネーブル信号に基づいて前記無線周波数スイッチを制御するべく構成されたレベルシフタを含むスイッチコントローラと
を含み、
前記レベルシフタは部分的に前記チャージポンプ電圧から電力を受け取るように構成され、
前記スイッチコントローラは、モード信号を受信し、バイアス電圧で前記レベルシフタにバイアスをかけるように構成されたレベルシフタ制御回路をさらに含み、
前記レベルシフタ制御回路は前記モード信号の状態に基づいて前記バイアス電圧の電圧レベルを制御し、前記モード信号が前記第１の状態にあるときに前記チャージポンプ電圧に追従するために前記バイアス電圧の電圧レベルを制御するようにさらに構成される電力増幅器システム。
【請求項３８】
前記レベルシフタ制御回路は、前記モード信号が前記第２の状態にあるときに前記バイアス電圧の電圧レベルを直流電圧に制御するべく構成される請求項３７の電力増幅器システム。
【請求項３９】
前記レベルシフタは、前記バイアス電圧によってバイアスされたゲートを含む複数のｎ型金属酸化物半導体カスコードトランジスタを含む請求項３７の電力増幅器システム。
【請求項４０】
前記レベルシフタ制御回路は、
前記チャージポンプ電圧に対して変化するカスコード基準電圧を生成するべく構成されたカスコード基準回路と、
前記モード信号が前記第１の状態にあるときに前記カスコード基準電圧を前記バイアス電圧に電気的に接続するように並列に動作するｎ型金属酸化物半導体トランジスタ及びｐ型金属酸化物半導体トランジスタと
を含む請求項３７の電力増幅器システム。